(57)【要約】【課題】            本考案は基材と複数のプッシュボタンからなる金属字体を具有するプッシュボタンのキーボードを提案する。【解決手段】        プッシュボタンはそれぞれ基材上に取付け、基材上に若干突設した少なくとも一つの金属字体と金属字体を覆う透明な外層を有し、金属字体は透明な外層内に嵌め込む。以上により、金属字体は若干突起して本体が金属光沢を有する特徴を備えて、視覚的な立体感や質感等を出すという目的を達する。【選択図】          図２
0003148765.tif 000002
【実用新案登録請求の範囲】
【請求項１】
金属字体を有するプッシュボタンのキーボードであって、基材と、前記基材上にそれぞれ設けた複数のプッシュボタンと、を備え、各プッシュボタンは前記基材上に若干突設した少なくとも一つの金属字体と、前記金属字体を覆う透明な外層を有し、前記金属字体は前記透明な外層内に嵌め込むことを特徴とする金属字体を具有するプッシュボタンのキーボード。
【請求項２】
前記プッシュボタンの金属字体の厚みは０．０４から０．０７ｍｍの間であることを特徴とする請求項1に記載する金属字体を具有するプッシュボタンのキーボード。
【請求項３】
前記プッシュボタンの透明な外層は紫外線（ＵＶ）耐性ゴムで形成されることを特徴とする請求項２に記載する金属字体を具有するプッシュボタンのキーボード。
【請求項４】
前記基材は相反する方向の第１表面と第２表面を有し、前記プッシュボタンは前記基材の第１表面上に設け、前記基材の第２表面は前記プッシュボタンに対応する複数の突起ピンを突設することを特徴とする請求項1、２又は３に記載する金属字体を具有するプッシュボタンのキーボード。
【請求項５】
各プッシュボタンの下部にはさらに透光層を有し、各透光層は前記基材の第１表面に配置され、各プッシュボタンの金属字体はこれに対応する透光層の表面に突設することを特徴とする請求項４に記載する金属字体を具有するプッシュボタンのキーボード。
【請求項６】
前記基材の第１表面には透光層が配置され、各プッシュボタンの金属字体は前記透光層の表面に突設することを特徴とする請求項４に記載する金属字体を有するプッシュボタンのキーボード。
【請求項７】
各プッシュボタンの金属字体は前記基材の第１表面に突設することを特徴とする請求項４に記載する金属字体を具有するプッシュボタンのキーボード。
【考案の詳細な説明】
【技術分野】
【０００１】
本考案はプッシュボタンのキーボードに関し、特に電子製品に取付けるための金属字体を有するプッシュボタンのキーボードに関する。
【背景技術】
【０００２】
現代の情報時代において、人々の電子製品への依存度は日増しに高まっており、携帯電話やＰＤＡ等の電子製品は何れも既に現代人の生活に不可欠なツールとなっている。ユーザーが電子製品を容易に操作（例：実行指令等）できる様に、こうした電子製品には通常プッシュボタンのキーボードが設けられている。
【０００３】
目下、市販の電子製品におけるプッシュボタンのキーボードは主として金属光沢の金属プッシュボタンのキーボードと一般に散見されるプラスチックのプッシュボタンのキーボードに分けられる。然しながら、金属光沢又はプラスチックのプッシュボタンのキーボード上の数字、記号及びアルファベット等の字体は、通常印刷若しくは電子製版で製作されて平面的な見栄えとなってしまい、腕時計に嵌め込まれた数字のような効果や質感が表現できない。一方では、恒常的に押下して使用することで、数字、記号及びアルファベット等の字体が剥離したり損傷したりする虞がある。また、市販の電子製品は、何れも薄型化且つ小型化の趨勢で発展していることから、マーケットのニーズに合せるため、電子製品の中のプッシュボタンのキーボードも一層の薄型化が必要とされている。従って、ニュータイプのプッシュボタンのキーボードを設計して、前述の問題を改善してベターな使用効果等を有するという目的を達成することが関係研究開発設計者の重点目標である。
【０００４】
本考案者は上記欠点が改善され得るものと考え、研究に専念し学理的運用を加味して、合理的な設計で上記欠点を効果的に改善する本考案を提出することとなった。
【考案の開示】
【考案が解決しようとする課題】
【０００５】
本考案は、金属字体を有するプッシュボタンのキーボードを提供することで、視覚的な立体感と質感を出す効果を果たし、字体に発生し易い剥離損傷を改善し、薄型化等の目的を達成することにある。
【課題を解決するための手段】
【０００６】
上記の目的を達成するため、本考案は基材及び前記基材上にそれぞれ設けた複数のプッシュボタンからなる金属字体を有するプッシュボタンのキーボードを提供し、各プッシュボタンは前記基材上に若干突設した少なくとも一つの金属字体と前記金属字体を覆う透明な外層を有し、前記金属字体は前記透明な外層内に嵌め込む。
【考案の効果】
【０００７】
本考案の効果は、金属字体が若干突起状で本体が金属光沢を有する特徴を備えていることから、視覚面で立体感や質感効果を現わすことができる。そして、金属字体は透明な外層内に嵌め込むので、従来恒常的に押下することで発生する剥離損傷を改善でき、さらには、金属字体を若干突起して基材上に設けて透明な外層内に嵌め込むことで、相対的に透明な外層等の部材はその厚みを大幅に抑えることができ、これによって薄型化等の目的を達成する。
【０００８】
本考案の特徴と技術内容が一層理解されるために、以下本考案に関する詳細な説明と添付図面を参照することとするが、添付図面は参考並びに説明用に限るものとし、本考案を制限するものではない。
【考案を実施するための最良の形態】
【０００９】
[実施例]
図１、図２において、本考案は基材１と複数のプッシュボタン２からなるプッシュボタンのキーボードを掲示している。
【００１０】
基材１は相反する方向の第１表面１１と第２表面１２を有し、基材１はゴム等の軟性素材であるものの、この限りではない。また、基材１の第２表面１２は複数の突起ピン１３を突設している。
【００１１】
プッシュボタン２はそれぞれ基材１上に設けて、具体的な実施例では基材１の第１表面１１の上に設ける。各プッシュボタン２は少なくとも金属字体２１と透明な外層２２を有し、金属字体２１は基材１の第１表面１１に僅かに突設し、透明な外層２２は金属字体２１を覆って金属字体２１を透明な外層２２の内部に嵌め込む。金属字体２１は数字、記号及びアルファベット又は前述の組合せであって、制限はしない。また、金属字体２１が有する厚みｔは０．０４から０．０７ｍｍの間にあるが、好ましくは、０．０５から０．０６ｍｍの間にあって最良の効果を達することができる。透明な外層２２は紫外線耐性ゴムで形成され、基材１の突起ピン１３はそれぞれプッシュボタン２の下部に対応する。
【００１２】
本考案では、プッシュボタンのキーボードの設計は異なる変化をしてもよく、図２のように、各プッシュボタン２の下部にはさらに透光層３を具え、各透光層３は基材１の第１表面１１と結合し、金属字体２１は対応する透光層３の表面に突設する。或いは、図３のように、別の実施例における前記実施例との相違点は次の通りである。基材１の第１表面１１にさらに透光層３’が配置され、各プッシュボタン２は透光層３’の表面に配置し、同様に金属字体２１は透光層３’の表面に突設する。或いは図４のように、別途実施例では、金属字体２１は直接基材１の第１表面１１に突設する、即ち本実施例では透光層を設けない。
【００１３】
上記の説明により、光源から光が基材１に入射し、さらにプッシュボタン２内に入射すると、金属字体２１が若干凸状で本体が金属光沢を有する特徴を備えており、光源が互いに組合わさることによって、視覚的な立体感と質感効果を出すことができる。そして、金属字体２１は透明な外層２２内に嵌め込むので、従来恒常的に押下することで発生する剥離損傷を改善できる。さらには、金属字体２１を基材１上に若干突起して設け、透明な外層２２内に嵌め込むことで、相対的に透明な外層２２等の部材はその厚みを大幅に抑えることができ、これによって薄型化等の目的を達成する。
【００１４】
以上の記述は本考案の好ましい実施例に過ぎず、これをもって本考案の範囲を限定するものではない。従って、本考案の明細書並びに図面の内容に基づいて行った等価構造変化は、何れも同様の理由で本考案の範囲内とする。
【図面の簡単な説明】
【００１５】
【図１】本考案の斜視概略図である。
【図２】本考案の断面概略図である。
【図３】本考案の別の実施例の断面概略図である。
【図４】本考案の別途実施例の斜視概略図である。
【符号の説明】
【００１６】
１        基材
１１      第１表面
１２      第２表面
１３      突起ピン
２        プッシュボタン
２１      金属字体
２２      透明な外層
３、３’  透光層
ｔ        厚み
【図１】
0003148765.tif 000003
【図２】
0003148765.tif 000004
【図３】
0003148765.tif 000005
【図４】
0003148765.tif 000006